(57)【要約】  冷却媒体の沸騰及び気化が発生した場合においても還元剤噴射弁の熱損傷による故障や機能障害等の発生を回避し得る還元剤供給装置及び排気浄化システムを提供する。  本発明の一態様に係る還元剤供給装置及び排気浄化システムは、還元剤噴射弁を冷却するための冷却媒体循環装置を備え、冷却媒体循環装置の冷却媒体循環通路の流入側接続部及び流出側接続部が、使用のために配置及び固定されたときの還元剤噴射弁の鉛直方向における上方側に配設されている構成を備える。
2014196346.tif 000002
【特許請求の範囲】
【請求項１】
内燃機関の排気ガス中のＮＯｘを浄化するＳＣＲ触媒に還元剤としての尿素水溶液を供給するために、前記尿素水溶液を貯蔵タンクから還元剤噴射弁へ供給することにより前記排気ガス中に噴射すると共に前記内燃機関を停止する際には供給経路内の前記尿素水溶液を前記貯蔵タンクへ回収する還元剤供給装置において、
前記還元剤噴射弁を冷却するための冷却媒体循環装置を備え、
前記冷却媒体循環装置の冷却媒体循環通路の流入側接続部及び流出側接続部が、使用のために配置及び固定されたときの前記還元剤噴射弁の鉛直方向における上方側に配設されていることを特徴とする還元剤供給装置。
【請求項２】
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムにおいて、
前記還元剤供給装置は、前記還元剤噴射弁を冷却するための冷却媒体循環装置を備え、
前記冷却媒体循環装置の冷却媒体循環通路の流入側接続部及び流出側接続部が、使用のために配置及び固定されたときの前記還元剤噴射弁の鉛直方向における上方側に配設されていることを特徴とする排気浄化システム。
【発明の詳細な説明】
【技術分野】
【０００１】
本発明は、還元剤供給装置に関する。特に、還元剤噴射弁を冷却するための冷却媒体の循環停止後における冷却媒体の温度上昇に起因する還元剤噴射弁の故障や機能障害等の発生を回避し得る構成の還元剤噴射弁を備える還元剤供給装置に関する。また、本発明は、斯かる還元剤供給装置を備える排気浄化システムに関する。
【背景技術】
【０００２】
従来、車両に搭載される内燃機関の排気ガス中には、窒素酸化物（以下、「ＮＯｘ」と称する。）や微粒子状物質（以下、「ＰＭ」と称することがある。）が含まれている。このうち、ＮＯｘを還元して排気ガスを浄化するための装置として尿素ＳＣＲシステムがある。尿素ＳＣＲシステムは、圧送ポンプによって貯蔵タンク内から汲み上げた還元剤としての尿素水溶液を還元剤噴射弁から排気管内に供給するための還元剤供給装置と、アンモニアを吸着可能な排気浄化触媒の一種であるＳＣＲ触媒とを備えて構成される。斯かる尿素ＳＣＲシステムでは、尿素水溶液の分解により生成されるアンモニアをＳＣＲ触媒に吸着させ、排気ガス中のＮＯｘをＳＣＲ触媒中でアンモニアと反応させて、排気ガスを浄化する。【０００３】
一方、ＰＭを捕集して排気ガスを浄化するための装置としてディーゼルパティキュレートフィルタ（以下、「ＤＰＦ」と称する。）がある。ＤＰＦは、内燃機関の排気管に配設され、排気ガスが当該ＤＰＦを通過する際に排気ガス中のＰＭを捕集する。ＤＰＦを備えた排気浄化システムでは、ＤＰＦの目詰まりを防止するために、ＤＰＦの温度を５００℃乃至６００℃程度に上昇させてＤＰＦに堆積したＰＭを強制的に燃焼させる強制再生制御が適時に行われる。【０００４】
近年、排気ガスの浄化基準が高められていることに伴い、ＤＰＦ及びＳＣＲ触媒の両方を備えた排気浄化システムが増えてきている。【０００５】
尿素ＳＣＲシステムにおいては、通常、内燃機関が停止した際に還元剤供給経路に残存する尿素水溶液を回収するように構成されている。これにより、尿素水溶液が還元剤供給経路に残存したまま凍結し、還元剤供給経路に詰まりや破損等が発生するのを回避しようとするものである。【０００６】
また、還元剤供給装置が備える還元剤噴射弁は比較的熱に弱い一方、高温の排気ガスに曝されるので、還元剤噴射弁の温度上昇を抑制すると共に、還元剤噴射弁内の還元剤の温度上昇による濃度及び固化温度の上昇を抑制するために、還元剤噴射弁を冷却する冷却媒体を循環させる冷却媒体循環装置が還元剤噴射弁に付設された構成を有する還元剤供給装置が知られている。【０００７】
斯かる構成を有する還元剤供給装置は、冷却媒体循環装置により冷却媒体を循環させることによって還元剤噴射弁を冷却し、還元剤噴射弁の熱損傷による故障や機能障害等の発生を未然に防止するものである（例えば、特許文献１を参照）。【０００８】
この冷却媒体循環装置は、通常、内燃機関を冷却するための冷却機構に備えられた冷却媒体通路を分岐させて冷却媒体循環通路及び冷却媒体循環バルブを配設することにより構成される。【０００９】
当該構成の他、冷却媒体循環装置は、還元剤供給装置の還元剤供給通路を分岐させて冷却媒体循環通路及び冷却媒体循環バルブを配設し、還元剤を冷却媒体として用いて還元剤供給装置の圧送ポンプで還元剤を圧送する構成が採用される場合もある。
【先行技術文献】
【特許文献】
【００１０】
【特許文献１】特開２００９−１３８６２７号公報
【発明の概要】
【発明が解決しようとする課題】
【００１１】
図３は、従来の還元剤供給装置の還元剤噴射弁周辺の構成を示す説明図であり、具体的には、冷却媒体循環装置が還元剤噴射弁に付設された構成を有する従来の還元剤供給装置の還元剤噴射弁及び冷却媒体循環通路の接続部の配置を示す説明図である。【００１２】
図３（ａ）及び図３（ｂ）に示すように、冷却媒体循環装置が還元剤噴射弁４３に付設された構成を有する従来の還元剤供給装置においては、冷却媒体循環装置の冷却媒体循環通路の流入側接続部及び流出側接続部が、使用のために配置及び固定されたときの還元剤噴射弁４３の鉛直方向における下方側に配設される構成となっている。【００１３】
図３（ａ）の例では、流入側及び流出側冷却媒体循環通路３４ａ，３４ｂの両方が還元剤噴射弁４３の下方に向って延設されており、図３（ｂ）の例では、流入側及び流出側冷却媒体循環通路の一方３４ａが還元剤噴射弁４３の上方に向って延設され、他方３４ｂが還元剤噴射弁４３の下方に向って延設されている。【００１４】
しかし、図３（ａ）及び図３（ｂ）に示すいずれの例においても、冷却媒体循環装置の冷却媒体循環通路の流入側接続部及び流出側接続部の両方が、使用のために配置及び固定されたときの還元剤噴射弁４３の鉛直方向における下方側に配設されている。【００１５】
冷却媒体循環装置は、上述のように、通常、内燃機関を冷却するための冷却機構の一部として構成されるので、内燃機関の停止に伴って冷却機構による冷却媒体の循環が停止すると、還元剤噴射弁４３を冷却するための冷却媒体の循環も停止する。【００１６】
しかし、内燃機関が停止しても排気管内に残存している排気ガスの温度は直ちには低下しないので、排気ガスの熱によって還元剤噴射弁４３の温度が上昇し、それにより冷却媒体が沸騰して気化し、発生した高温の気泡が、図３（ａ）及び図３（ｂ）に示すように、還元剤噴射弁４３の下方側に位置する冷却媒体循環通路の接続部近傍に蓄積して還元剤噴射弁４３の温度がさらに上昇し、その結果として、還元剤噴射弁４３の熱損傷による故障や機能障害等が発生することがある。【００１７】
還元剤を冷却媒体として用いる構成の場合においても、内燃機関の停止又は圧送ポンプの動作停止に伴って冷却媒体としての還元剤が沸騰して気化することにより、同様の問題が発生することがある。【００１８】
本発明はこのような問題に鑑みてなされたものであり、還元剤噴射弁を冷却するための冷却媒体の循環停止に伴って冷却媒体の沸騰及び気化が発生した場合においても、気化した冷却媒体が還元剤噴射弁近傍に蓄積しない構成を採用することにより、上記問題を解決するものである。【００１９】
即ち、本発明は、還元剤噴射弁を冷却するための冷却媒体の循環停止に伴って冷却媒体の沸騰及び気化が発生した場合においても、還元剤噴射弁のさらなる温度上昇を抑制して、還元剤噴射弁の熱損傷による故障や機能障害等の発生を回避し得る還元剤供給装置を提供することを目的とする。【００２０】
また、本発明は、斯かる還元剤供給装置を備える排気浄化システムを提供することを目的とする。
【課題を解決するための手段】
【００２１】
本発明の一態様に係る還元剤供給装置は、
内燃機関の排気ガス中のＮＯｘを浄化するＳＣＲ触媒に還元剤としての尿素水溶液を供給するために、前記尿素水溶液を貯蔵タンクから還元剤噴射弁へ供給することにより前記排気ガス中に噴射すると共に前記内燃機関を停止する際には供給経路内の前記尿素水溶液を前記貯蔵タンクへ回収する還元剤供給装置において、
前記還元剤噴射弁を冷却するための冷却媒体循環装置を備え、
前記冷却媒体循環装置の冷却媒体循環通路の流入側接続部及び流出側接続部が、使用のために配置及び固定されたときの前記還元剤噴射弁の鉛直方向における上方側に配設されていることを特徴とし、当該構成を備えることにより、上記課題を解決することができる。【００２２】
本発明の一態様に係る排気浄化システムは、
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯｘを浄化するＳＣＲ触媒と、を排気上流側から順次に備えた排気浄化システムにおいて、
前記還元剤供給装置は、前記還元剤噴射弁を冷却するための冷却媒体循環装置を備え、
前記冷却媒体循環装置の冷却媒体循環通路の流入側接続部及び流出側接続部が、使用のために配置及び固定されたときの前記還元剤噴射弁の鉛直方向における上方側に配設されていることを特徴とし、当該構成を備えることにより、上記課題を解決することができる。【００２３】
即ち、本発明の一態様に係る還元剤供給装置及び排気浄化システムは、上記各構成を備えることにより、還元剤噴射弁を冷却するための冷却媒体の循環停止に伴って冷却媒体の沸騰及び気化が発生した場合においても、気化した冷却媒体が還元剤噴射弁近傍に蓄積しないので、還元剤噴射弁のさらなる温度上昇を抑制して、還元剤噴射弁の熱損傷による故障や機能障害等の発生を回避し得る還元剤供給装置及び排気浄化システムを提供することができる。
【図面の簡単な説明】
【００２４】
【図１】本発明の実施の一形態に係る還元剤供給装置を備える排気浄化システムの全体構成図である。
【図２】本発明の実施の一形態に係る還元剤供給装置の還元剤噴射弁周辺の構成を示す説明図である。
【図３】従来の還元剤供給装置の還元剤噴射弁周辺の構成を示す説明図である。
【発明を実施するための形態】
【００２５】
以下、図面を参照して、本発明に係る還元剤供給装置及び排気浄化システムの実施の形態について、具体的に説明する。
【００２６】
但し、以下の実施の形態は、本発明の一態様を示すものであって本発明を限定するものではなく、本発明の範囲内で任意に変更することができる。
【００２７】
尚、各図において同符号を付してあるものは同一の部材乃至部分を示しており、適宜説明が省略されている。
（１）排気浄化システムの全体構成
図１は、本発明の実施の一形態に係る還元剤供給装置４０を備える排気浄化システム１０の全体構成図である。
【００２８】
この排気浄化システム１０は、ＤＰＦ２２及びＳＣＲ触媒２４を有する排気浄化ユニット２０と、還元剤噴射弁４３を含む還元剤供給装置４０と、ＤＰＦ２２の強制再生制御や還元剤供給装置４０の動作制御を行う制御装置６０とを主たる構成要素として備えている。
【００２９】
斯かる排気浄化システム１０は、排気ガス中の微粒子状物質（ＰＭ）をＤＰＦ２２によって捕集し、かつ、還元剤としての尿素水溶液を用いて排気ガス中のＮＯｘをＳＣＲ触媒２４中で選択的に浄化するための装置として構成されたものである。
（２）排気浄化ユニット
排気浄化ユニット２０は、酸化触媒２１と、ＤＰＦ２２と、ＳＣＲ触媒２４とを排気上流側から順次に備えている。
【００３０】
この排気浄化ユニット２０の構成要素のうち、酸化触媒２１は、内燃機関５でのポスト噴射等によって排気管１１内に供給された未燃燃料を酸化し、酸化熱を発生させる。これにより、ＤＰＦ２２に流入する排気ガスを昇温させてＤＰＦ２２を加熱することができる。酸化触媒２１は、公知のもの、例えば、アルミナに白金を担持させたものに所定量のセリウム等の希土類元素を添加したものを用いることができる。
【００３１】
また、ＤＰＦ２２は、排気ガスがＤＰＦ２２を通過する際に排気ガス中のＰＭを捕集する。図１に示す排気浄化システム１０では、ＤＰＦ２２がＳＣＲ触媒２４よりも排気上流側に配設されており、ＰＭがＳＣＲ触媒２４に付着するおそれがない。ＤＰＦ２２は、公知のもの、例えば、セラミック材料から構成されたハニカム構造のフィルタを用いることができる。
【００３２】
また、ＳＣＲ触媒２４は、還元剤噴射弁４３によって排気ガス中に噴射される尿素水溶液の分解により生成されるアンモニアを吸着し、流入する排気ガス中のＮＯｘを還元する。ＳＣＲ触媒２４としては、例えば、アンモニアの吸着機能を有し、かつ、ＮＯｘを選択的に還元可能なゼオライト系の還元触媒を用いることができる。
【００３３】
以上に説明した排気浄化ユニット２０は、ＤＰＦ２２の前後にそれぞれ圧力センサ５１、５２を備え、ＳＣＲ触媒２４の前後にそれぞれ温度センサ５３、５４を備えている。また、ＳＣＲ触媒２４の排気下流側にはＮＯｘセンサ５５を備えている。さらに、排気浄化ユニットの周囲には外気温度を検出する外気温度センサが配置されている。
【００３４】
これらセンサのセンサ値は制御装置６０に送られて、それぞれの位置での圧力や温度、ＮＯｘ濃度が検出される。
【００３５】
尚、演算によって推定可能であるならば、これらセンサは省略可能である。
【００３６】
また、以上に説明した排気浄化ユニット２０は、排気管１１の第１屈曲部２３ａから分岐して、還元剤噴射弁４３を固定するための接続管１２を備えている。この接続管１２を介して、排気ガスの流れ方向と略一致する方向に、還元剤噴射弁４３から還元剤としての尿素水溶液が噴射される。
【００３７】
従って、排気管１１に還元剤噴射弁４３を直接固定する場合と比較して、排気管１１や排気ガス等から還元剤噴射弁４３への熱を伝わり難くすることができる。
（３）強制再生手段
本実施形態の排気浄化システム１０は、ＤＰＦ２２の強制再生制御を行うための強制再生手段を備える。ＤＰＦ２２を５００℃乃至６００℃程度に昇温させ、ＤＰＦ２２に堆積したＰＭを強制的に燃焼させる強制再生を行うためである。
【００３８】
本実施形態では、内燃機関５でのポスト噴射等によって排気管１１内に未燃燃料を供給する燃料噴射弁（図示せず）と、燃料噴射弁からの燃料噴射量や噴射タイミング等、燃料噴射弁の制御を指示するための制御装置６０の制御部と、未燃燃料を酸化して酸化熱を発生させる酸化触媒２１とが、強制再生手段を構成する。
【００３９】
尚、強制再生手段は上記構成例に限られず、排気ガスを５００℃乃至６００℃程度に昇温させることができるものであればよい。例えば、ポスト噴射に拠らずに酸化触媒２１に未燃燃料を供給する装置を利用して強制再生手段を構成してもよい。また、バーナや電熱線等の加熱装置を備え、直接ＤＰＦ２２を加熱するようにしてもよい。
（４）制御装置
制御装置６０は、イグニッションスイッチ５７の信号や各圧力センサや各温度センサをはじめとして、機関回転数Ｎｅを検出する回転数センサ、車両の車速Ｖを検出する車速センサ、アクセルペダルの操作量Ａｃｃを検出するアクセルセンサ、ブレーキペダルの操作量Ｂｒｋを検出するブレーキセンサ等の各種センサ信号が読込み可能に構成されている。また、制御装置６０には、各部での演算結果や検出結果を記憶するための図示しないＲＡＭ（Random Access Memory）が備えられている。
【００４０】
制御装置６０は、内燃機関５の運転中にあっては、還元剤供給装置４０の第２の供給経路４５内の圧力が所定値で維持されるように圧送ポンプ４２の駆動を制御するとともに、機関回転数ＮｅやＳＣＲ触媒の排気下流側に設けられたＮＯｘセンサ５５のセンサ値等に基づいて、還元剤供給装置４０の還元剤噴射弁４３の駆動を制御する。
【００４１】
また、制御装置６０は、内燃機関５の停止時に還元剤供給装置４０におけるパージ処理を実行する。即ち、還元剤供給装置４０における尿素水溶液の流路を順方向から逆方向に切り換えるための信号を、リバーティングバルブ４７に対して出力するとともに、還元剤噴射弁４３を開弁させて圧送ポンプ４２を駆動させるための信号を、圧送ポンプ４２及び還元剤噴射弁４３に対して出力することにより、還元剤噴射弁４３及び還元剤供給経路の内部に存在する還元剤を貯蔵タンク４１に回収する。
（５）還元剤供給装置
還元剤供給装置４０は、尿素水溶液を貯蔵する貯蔵タンク４１と、圧送ポンプ４２と、還元剤噴射弁４３とを主たる構成要素として備えている。
【００４２】
このうち、貯蔵タンク４１及び圧送ポンプ４２が第１の供給通路４４によって接続され、圧送ポンプ４２及び還元剤噴射弁４３が第２の供給通路４５によって接続されている。この第２の供給通路４５には圧力センサ５６が設けられており、センサ値が制御装置６０に送信され、第２の供給通路４５内の圧力が検出される。
【００４３】
また、第２の供給通路４５及び貯蔵タンク４１が第３の供給通路４６によって接続されており、これにより、第２の供給経路４５に供給された余剰の尿素水溶液を、貯蔵タンク４１に戻すことができる。
【００４４】
また、還元剤供給装置４０は、尿素水溶液の流路を、貯蔵タンク４１から還元剤噴射弁４３へ向かう順方向から、還元剤噴射弁４３から貯蔵タンク４１へ向かう逆方向に切り換える機能を持ったリバーティングバルブ４７を備えている。即ち、排気浄化システム１０は、内燃機関５の停止時に、還元剤供給装置４０に充填されていた尿素水溶液を貯蔵タンク４１に回収可能な構成を有している。
【００４５】
この還元剤供給装置４０の構成要素のうち、圧送ポンプ４２は、第２の供給経路４５内の圧力が所定値で維持されるように、貯蔵タンク４１内の尿素水溶液を汲み上げて還元剤噴射弁４３に圧送する。圧送ポンプ４２として、代表的には電動式ポンプが用いられる。
【００４６】
また、還元剤噴射弁４３は、制御装置６０から出力される制御信号によって還元剤噴射弁４３が開かれたときに、尿素水溶液を排気管１１中に噴射する。還元剤噴射弁４３としては、例えばＤＵＴＹ制御によって開弁のＯＮ−ＯＦＦが制御されるＯＮ−ＯＦＦ弁が用いられる。
【００４７】
このような還元剤噴射弁４３を構成する電子部分や樹脂部分等は比較的熱に弱く、その耐熱温度Ｔｌｉｍは１４０℃乃至１５０℃程度である一方、通常運転時における排気ガス温度は、２００℃乃至３００℃程度である。
【００４８】
そのため、この還元剤供給装置４０は、還元剤噴射弁４３のハウジングに設けられた冷却水通路３５と、内燃機関５の冷却水通路３３から分岐して冷却水通路３５に連通する冷却水循環通路３３・３４と、冷却水循環通路３３・３４を流れる冷却水の流量を調節する冷却水流量制御弁３１・３２とを備えている。
【００４９】
これにより、内燃機関５の冷却水を還元剤噴射弁４３の冷却水通路３５に循環させ、還元剤噴射弁４３の温度を７０℃乃至８０℃程度に保ち、還元剤噴射弁４３の熱損傷を防止することができる。
【００５０】
また、還元剤噴射弁４３からの還元剤の噴射を行うために、貯蔵タンク４１内の相対的に低温である尿素水溶液が還元剤噴射弁４３に圧送されるので、還元剤噴射弁４３から尿素水溶液への熱移動によっても、還元剤噴射弁４３の放熱が促される。
【００５１】
上述のエンジン冷却水の循環や、尿素水溶液への熱移動による還元剤噴射弁４３の放熱は、特に、内燃機関５の運転中において行われる。
【００５２】
内燃機関５の運転中にエンジン冷却水が循環し、また、内燃機関５の運転中に還元剤噴射弁４３へ尿素水溶液が圧送されるためである。
【００５３】
図２は、本発明の実施の一形態に係る還元剤供給装置の還元剤噴射弁周辺の構成を示す説明図であり、具体的には、冷却媒体循環装置が還元剤噴射弁に付設された構成を有する本発明の実施の一形態に係る還元剤供給装置の還元剤噴射弁及び冷却媒体循環通路の接続部の配置を示す説明図である。
【００５４】
図２（ａ）及び図２（ｂ）に示すように、冷却媒体循環装置が還元剤噴射弁４３に付設された構成を有する本発明の実施の一形態に係る還元剤供給装置においては、冷却媒体循環装置の冷却媒体循環通路の流入側接続部及び流出側接続部が、使用のために配置及び固定されたときの還元剤噴射弁４３の鉛直方向における上方側に配設される構成となっている。
【００５５】
図２（ａ）の例では、流入側冷却媒体循環通路３４ａ及び流出側冷却媒体循環通路３４ｂの両方が還元剤噴射弁４３の上方に向って延設されており、図２（ｂ）の例では、一方の流入側冷却媒体循環通路３４ａが還元剤噴射弁４３の下方に向って延設され、他方の流出側冷却媒体循環通路３４ｂが還元剤噴射弁４３の上方に向って延設されている。
【００５６】
但し、図２（ａ）及び図２（ｂ）に示すいずれの例においても、本発明の実施の一形態に係る還元剤供給装置の特徴的構成として、冷却媒体循環装置の冷却媒体循環通路の流入側接続部及び流出側接続部の両方が、使用のために配置及び固定されたときの還元剤噴射弁４３の鉛直方向における上方側に配設されている。
【００５７】
冷却媒体循環装置は、前述のように、通常、内燃機関を冷却するための冷却機構の一部として構成されるので、内燃機関の停止に伴って冷却機構による冷却媒体の循環が停止すると、還元剤噴射弁４３を冷却するための冷却媒体の循環も停止する。
【００５８】
内燃機関が停止しても排気管内に残存している排気ガスの温度は直ちには低下しないので、排気ガスの熱によって還元剤噴射弁４３の温度が上昇し、それにより冷却媒体が沸騰して気化し、高温の気泡が発生する。
【００５９】
しかし、本発明の実施の一形態に係る還元剤供給装置においては、図２（ａ）及び図２（ｂ）に示すように、冷却媒体循環装置の冷却媒体循環通路の流入側接続部及び流出側接続部の両方が、使用のために配置及び固定されたときの還元剤噴射弁４３の鉛直方向における上方側に配設されているので、冷却媒体の気化により発生した高温の気泡が冷却媒体循環通路の接続部近傍に蓄積することがない。
【００６０】
冷却媒体の高温の気泡は、還元剤噴射弁４３の上方に向って延設された流出側冷却媒体循環通路３４ｂを通じて還元剤噴射弁４３の冷却媒体循環通路接続部近傍から逃げることができ、また、流入側冷却媒体循環通路３４ａからは冷たい冷却媒体が供給されるので、還元剤噴射弁４３の温度がさらに上昇することはなく、むしろ還元剤噴射弁４３は冷却されて噴射弁温度は低下することになる。
【００６１】
従って、本発明の実施の一形態に係る還元剤供給装置においては、還元剤噴射弁４３を冷却するための冷却媒体の循環停止に伴って冷却媒体の沸騰及び気化が発生した場合においても、気化した冷却媒体が還元剤噴射弁近傍に蓄積しないので、還元剤噴射弁４３のさらなる温度上昇を抑制して、還元剤噴射弁４３の熱損傷による故障や機能障害等の発生を回避することができる。
【００６２】
還元剤を冷却媒体として用いる構成の場合においても、本発明の実施の一形態に係る還元剤供給装置の構成によれば、同様の効果を得ることができる。
【図１】
2014196346.tif 000003
【図２】
2014196346.tif 000004
【図３】
2014196346.tif 000005
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
内燃機関の排気ガス中のＮＯXを浄化するＳＣＲ触媒に還元剤としての尿素水溶液を供給するために、前記尿素水溶液を貯蔵タンクから還元剤噴射弁へ供給することにより前記排気ガス中に噴射すると共に前記内燃機関を停止する際には供給経路内の前記尿素水溶液を前記貯蔵タンクへ回収する還元剤供給装置において、
前記還元剤噴射弁のハウジングに設けられて前記内燃機関の冷却水通路から分岐した冷却水循環通路を介して前記内燃機関の冷却水通路に接続された冷却水通路、及び、前記冷却水循環通路を流れる冷却水の流量を調節する冷却水流量制御弁、を有し、前記内燃機関の冷却水を前記還元剤噴射弁の冷却水通路に循環させて前記還元剤噴射弁を冷却するための冷却媒体循環装置を備え、
前記冷却媒体循環装置の冷却媒体循環通路の流入側接続部及び流出側接続部が、使用のために配置及び固定されたときの前記還元剤噴射弁の鉛直方向における上方側に配設されていることを特徴とする還元剤供給装置。
【請求項２】
内燃機関の排気ガス中の排気微粒子を捕集するディーゼルパティキュレートフィルタと、還元剤としての尿素水溶液を貯蔵タンクから還元剤噴射弁へ供給することにより前記排気ガス中に噴射して供給すると共に前記内燃機関を停止する際には供給経路内の前記尿素水溶液を前記貯蔵タンクへ回収する還元剤供給装置と、前記尿素水溶液を用いて前記排気ガス中のＮＯXを浄化するＳＣＲ触媒と、を排気上流側から順次に備えた排気浄化システムにおいて、
前記還元剤供給装置は、前記還元剤噴射弁のハウジングに設けられて前記内燃機関の冷却水通路から分岐した冷却水循環通路を介して前記内燃機関の冷却水通路に接続された冷却水通路、及び、前記冷却水循環通路を流れる冷却水の流量を調節する冷却水流量制御弁、を有し、前記内燃機関の冷却水を前記還元剤噴射弁の冷却水通路に循環させて前記還元剤噴射弁を冷却するための冷却媒体循環装置を備え、
前記冷却媒体循環装置の冷却媒体循環通路の流入側接続部及び流出側接続部が、使用のために配置及び固定されたときの前記還元剤噴射弁の鉛直方向における上方側に配設されていることを特徴とする排気浄化システム。
【国際調査報告】
2014196346.tif 000006
2014196346.tif 000007
2014196346.tif 000008
2014196346.tif 000009